(57)【要約】【課題】単純な圧迫行為を振動や摩擦へ変換し、鼠径部リンパ節を適切な配分でセルフマッサージを可能にして下半身の血行促進及び男性機能の回復を促すことのできる筒型マッサージ具を提供する。【解決手段】中の空洞が貫通した筒状の弾性素材において、底部から切込んだスリットと溝及び側壁に空洞と上蓋部に突起物とせり出した底部を備えている。【選択図】図５
2017192681.tif 000002
【特許請求の範囲】
【請求項１】
中の空洞が貫通した筒状の弾性素材において底部に窪みを有し、上蓋部において片側のみに突起物、または高さが異なる突起物を有することを特徴とするマッサージ具。
【請求項２】
前記片側のみの突起物、または高さの異なる突起物の中で最も高さのある突起物の下部にあたる側壁において空洞を有する請求項１のマッサージ具。
【請求項３】
前記、片側のみの突起物、または高さの異なる突起物の中で最も高さのある突起物の下部にあたる底部において、前記上蓋部の片側のみの突起物、または高さの異なる突起物の中で最も高さのある突起物の下部にあたらない底部に対し、片側のみの突起物、または高さの異なる突起物の中で最も高さのある突起物の下部にあたる底部が貫通した穴の方にせり出していることを特徴とする請求項１または請求項２のマッサージ具。
【発明の詳細な説明】
【技術分野】
【０００１】本発明は、男性器を刺激するピストン運動などによる圧迫を振動や摩擦に変換し、恥骨周辺を刺激可能にして下半身の血行促進及び男性機能の回復を促すことのできる筒型マッサージ具に関するものである。
【背景技術】
【０００２】従来、鼠径部のリンパ節をマッサージして下半身の血行促進や男性機能の回復といった効果を得ようとした場合、個人では鼠径部のリンパマッサージによる効果的な刺激を行うことができなかった。【０００３】また、特許公開２０１３−４８９０１における図５は従来の男性器の付け根から鼠径部を副次的に刺激可能とする男性用下半身衣類及びクッションにおいて貫通式クッションホルダーを有する男性用下半身衣類及び貫通式向けクッションの使用状態を示した正面図である。図５において、小用開口部表生地３に切り込まれた一対のスリット及び、小用開口部裏生地４に切り込まれた一対のスリットを備えており、前記スリットを折り返し、着衣した上でクッションホルダー間から男性器を露出させることで、第１貫通式クッションホルダー７及び第２貫通式クッションホルダー８を男性器の根元や恥骨へ密着させることを実現していた。【０００４】特願２０１４−２３８１９２における図５は、従来の筒型マッサージ具における使用状態の正面図である。前記図５において、底部窪み１と底部窪みスリット５及び一対のスリット７を設けることで、前記窪み及びスリット部を開くことで、弾性素材でできた筒型マッサージ具の底部を恥骨周辺に密着させることを実現していた。
【先行技術文献】
【特許文献】
【０００５】
【特許文献１】特許公開２０１３−４８９０１
【特許文献２】特願２０１４−２３８１９２
【発明の概要】
【発明が解決しようとする課題】
【０００６】上述の従来例ではクッションを男性器の根元や恥骨へ密着させるためには、着衣した状態でスリットを折り返し、クッションホルダー間から男性器を露出する必要があり、使用状態にするまでの手順が多く。初めて使用する人にとって使い方が理解しにくいという課題があった。【０００７】また、恥骨周辺のリンパ節は左側に多く集中し、右側の恥骨周辺は少ない傾向にあるため、左側へ上蓋部の圧迫した力を優先して伝えることが好ましいが、従来の発明では底部において圧迫による力を片側へ効率的に伝える工夫がなされていなかった。【０００８】本発明は簡潔な使用法で、自身による鼠径部のリンパマッサージにより血行の促進や男性機能の回復を可能にすることができ、恥骨周辺のリンパ節の集中する部分を効果的にマッサージ可能な筒型マッサージ具を提供することである。
【課題を解決するための手段】
【０００９】上述した目的を達成するため、請求項１に記載の筒型マッサージ具では中の空洞が貫通した筒状の弾性素材において底部に窪みを有し、上蓋部において片側のみに突起物、または高さが異なる突起物を有するマッサージ具に、男性器を中の空洞に通し底から溝部分を広げることで容易に筒状の男性素材の底を恥骨へ密着させ、本発明を圧迫するという手段を用いた。【００１０】また、上蓋部において片側のみに突起物、または高さが異なる突起物を有することで、本発明が圧迫される際に上蓋部の突起物の下部へ優先的に圧迫による力を伝えることができる。【００１１】また、男性器を刺激するピストン運動を行う際に本発明を圧迫することで、男性器の膨張による血行の促進を併行して得られるので、恥骨周辺のリンパマッサージの効果を向上させることができる。【００１２】また、筒状の弾性素材の空洞に男性器を通す際、片方の底に設けた窪みを陰嚢の上に宛がうことでピストン運動などにより本発明を圧迫した際に、睾丸を傷めることがない。【００１３】請求項２に記載の筒型マッサージ具では、上蓋部における片側のみの突起物、または高さの異なる突起物の中で最も高さのある突起物の下部にあたる側壁において空洞を設けることで、男性器を刺激するピストン運動で上蓋部の突起物を圧迫し、本マッサージ具の側壁の空洞を潰すことで、男性器を刺激するピストン運動による本マッサージ具を圧迫する力を窪みのある底にまで伝えず、男性器を刺激するピストン運動が離れる際に側壁の空洞が潰れた状態から元に戻ることにより弾性素材でできた本マッサージ具全体を振動させる運動へ変換することができる。【００１４】請求項３に記載の筒型マッサージ具では、片側のみの突起物、または高さの異なる突起物の中で最も高さのある突起物の下部にあたる底部において、前記上蓋部の片側のみの突起物、または高さの異なる突起物の中で最も高さのある突起物の下部にあたらない底部に対し、片側のみの突起物、または高さの異なる突起物の中で最も高さのある突起物の下部にあたる底部が貫通した穴の方にせり出していることで、前記突起物の下部にあたる底部が、前記突起物の下部にあたらない底部に比べて、せり出した底部の分だけ恥骨周辺へ密着しやすくなるため、前記突起物が圧迫された力をより効率的に伝えることができる。【００１５】また、前記突起物の下部にあたらない底部においては、恥骨周辺への密着度が低いため、上蓋部の圧迫があまり伝わらないことで、恥骨周辺の表面をなぞるような優しい刺激を与えることができる。
【発明の効果】
【００１６】本発明の筒型マッサージ具では、中の空洞に男性器を通し、底を恥骨へ密着させた状態で、ピストン運動によって男性器を刺激する際に本発明を副次的に圧迫することにより、鼠径部リンパ節をマッサージすることができる。【００１７】また、本発明では男性器をピストン運動で刺激する運動と鼠径部のリンパマッサージを併行して行うことが可能であり、軽度の運動と簡易的なリンパマッサージを同時に行うことで、従来より効率よく血行促進効果を得ることができる。【００１８】さらに、底に設けた窪みを陰嚢の上に宛がうことで、上蓋部を圧迫するピストン運動で圧迫された本マッサージ具の底で睾丸まで圧迫してしまうことを防ぐことができる。【００１９】また、底部の窪みを広げることで、前記底部分を恥骨へ密着させやすくすると共に、本発明の内側の側壁が男性器の根元へ密着しないため、男性器の根元への男性器を刺激するピストン運動による刺激を避けることで、過剰な刺激を与えることなく男性器を刺激するピストン運動と鼠径部へのマッサージを行うことができる。【００２０】また、リンパマッサージを行うには圧迫による刺激ではなく皮膚を擦る動きによる刺激を与えることが好ましいが、本筒型マッサージ具では、側壁に空洞を設けており。窪み及び切り込みがない方の底部分に設けた突起物を、男性器を刺激するピストン運動で圧迫し、本筒型マッサージ具の側壁に設けた空洞を潰すことにより、前記ピストン運動により圧迫された力を窪み及び切り込みのある方の底にまで伝えず。変わりに、圧迫を終えた前記ピストン運動が本筒型マッサージ具から離れていく際に、圧迫により変形していた側壁の空洞が復元することで、弾性素材でできた本筒型マッサージ具を振動させ、恥骨と密着した底部分で鼠径部リンパ節に皮膚を擦るマッサージ効果を与えることができる。【００２１】さらに、恥骨周辺のリンパ節は左側に多く存在する傾向にあるが、上蓋部の突起物の下部にあたる底部において、上蓋部の突起物の下部にあたらない底部よりも穴の方へ底部をせり出させることで、上蓋部の突起物の下部にあたる底部を恥骨周辺へ密着させやすくできるので、上蓋部の突起物を圧迫された力を効率よく伝え、リンパ節の集中する部分へ効果的なマッサージを行うことができるとともに、上蓋部の突起物の下部にあたらない底部においては、上蓋部の突起物の下部にあたる底部にくらべて、恥骨周辺へ密着しにくくなり、加えて上蓋部も突起物がないまたは低いため、上蓋部を圧迫した際に、上蓋部の突起物の下部にあたらない底部から恥骨周辺には圧迫による力が伝わりににくくなるため、上蓋部の突起物の下部にあたらない底部が、リンパ節の少ない部分の恥骨周辺の表面をなぞるような優しい刺激を与えることができる。【００２２】したがって、本筒型マッサージ具では、従来より簡潔な使用手順を用いながら、圧迫を振動に変換し、恥骨周辺に刺激を与えることで、鼠径部リンパ節を適切な配分でマッサージ可能にすることができる。
【図面の簡単な説明】
【００２３】
【図１】本発明の底部窪み側からの斜視図
【図２】本発明の底部より一対のスリットが切り込まれた側からの斜視図
【図３】本発明の底部窪み側からの正面図
【図４】本発明の底部より一対のスリットが切り込まれた側からの正面図
【図５】本発明の使用状態における底部窪み側からの正面図
【図６】本発明の使用状態における一対のスリット側からの正面図
【発明を実施するための形態】
【００２４】以下、本発明の好ましい実施の形態を添付した図面に従って説明する。図１は本発明の一実施形態に係る筒型マッサージ具の底部窪み１側からの斜視図であり、図１の示すように高弾性の柔らかい素材を筒型に成型し、貫通した中心の穴２を有するマッサージ具である。
【００２５】さらに、上蓋３部分には扇型突起４と滑り止め５を有し、底部には底部窪み１が一つ設けてあり、底部窪み１の中央からは上蓋３に向かって底部窪みスリット６が切り込まれている。
【００２６】また、図２は本発明の底部７より一対のスリット８が切り込まれた側からの斜視図である。図２の示すように底部７より上蓋３に向かって一対のスリット８が切り込まれており、一対のスリット８の間に底部７及び上蓋３と繋がっていない非貫通スリット９が一対のスリット８と平行に切り込まれている。
【００２７】図３は本発明の一実施形態に係る筒型マッサージ具の底部窪み１側からの正面図であり、図４は本発明の一実施形態に係る底部７より一対のスリット８が切り込まれた側からの正面図である。図３、４が示すように扇型突起物４は上蓋３において一対のスリット８と底部窪み１の間に設けられており、前記扇型突起物４を有する側の側壁に三角形の空洞１０と、底部の内側にせりだした優先密着底部１１が設けられている。
【００２８】また、図３，４が示すように三角形の空洞１０は、上向きの三角であり三角形の空洞１０の底辺は底部窪み１と同じ高さに揃えることが望ましい。さらに図４の示すように一対のスリット８間においては底部７が１ｃｍ程度はみ出している。
【００２９】図５は本発明の底部窪みスリット６及び一対のスリット８を広げた状態における底部窪み１側からの正面図であり、図６は本発明の底部窪みスリット６及び一対のスリット８を広げた状態においてピストン運動により圧迫された際の底部窪み１からの正面図である。以下、図５、６を参照して本発明が男性器を刺激するピストン運動により圧迫された際の動作について説明する。まず、男性器を中心の穴２に通し、一対のスリット８及び底部窪みスリット６を広げることで底部７を恥骨へと密着させ、男性器を刺激するピストン運動によって扇型突起物２及び上蓋３を圧迫することにより、軽度の運動を行いつつ鼠径部リンパ節をマッサージすることができる。
【００３０】また、男性器を中心の穴２に通す際に底部窪み１を陰嚢と重なるようにすることで、底部７が陰嚢と密着することを避けられるので男性器を刺激するピストン運動によって陰嚢を傷める心配がない。
【００３１】さらに、一対のスリット８及び底部窪みスリット６を広げることで、内部側壁１２が男性器の根元に密着しないため、男性器の根元には性的刺激を与えず緩衝帯とすることで、刺激部位の拡大によって過剰な刺激を与えることを防ぎ、鼠径部リンパ節へのマッサージを的確に行うことができる。
【００３２】図６の示すように、男性器を刺激するピストン運動によって上蓋３に設けられた扇型突起物４が圧迫されることで、三角形の空洞１０がピストン運動の圧迫により潰れた後、図５の示すように男性器を刺激するピストン運動が本筒型マッサージ具から離れた際に、圧迫で潰れた三角形の空洞１０が復元し筒型マッサージ具全体が振動することで、圧迫ではなく振動による摩擦によって底部７と密着した鼠径部リンパ節をマッサージすることができる。
【００３３】また、一対のスリット８及び底部窪みスリット６を広げて底部を恥骨へ密着させる際に、せり出した優先密着底部１１が対面の非優先密着底部１３よりも、恥骨周辺へ密着させることができるので、優先密着底部１１の上部にある扇型突起物４を圧迫された際に、刺激を効率的に伝えることができ、滑り止め５の部分で上蓋部が圧迫された際には、下部にあたる非優先密着底部１３では、恥骨周辺への密着性が低く、扇型突起物４が圧迫された後に滑り止め５の部分が圧迫されるので、伝わる力も弱くなるため、表面をなぞるような刺激を与えることができる。
【００３４】さらに、鼠径部リンパ節は左側に多く分布し、右側には少ない傾向にあるため、扇型突起物４及び優先密着底部１１をリンパ節の集中する鼠径部左側に宛がうことで圧迫による力を優先的に伝えることで、鼠径部リンパ節を効率的に刺激しつつ、非優先密着底部１３をリンパ節の少ない鼠径部右側に宛がうことにより過度な刺激を与えてしまうことを防ぐことができる。
【００３５】上記筒型マッサージ具は、中心の穴２に男性器を通し底部７を恥骨へ密着させるという簡潔な方法で、男性器を刺激する単一のピストン運動によって鼠径部のリンパ節へ効果的なマッサージを行うことを可能にするもので、男性器を刺激するピストン運動などと簡易的なリンパマッサージを併行して行い効率的な血行促進を促すことを可能にするものである。
【産業上の利用可能性】
【００３６】上述の発明は、鼠径部リンパ節のセルフマッサージを可能にするもので、特にピストン運動によって男性器を刺激する際などに、併行して簡易的なリンパマッサージを行い効率的に血行の促進を促すこともできる筒型マッサージ具として利用可能である。
【符号の説明】
【００３７】１  底部窪み
２  中心の穴
３  上蓋
４  扇型突起物
５  滑り止め
６  底部窪みスリット
７  底部
８  一対のスリット
９  非貫通スリット
１０  三角形の空洞
１１  優先密着底部
１２  内部側壁
１３  非優先密着底部
【図１】
2017192681.tif 000003
【図２】
2017192681.tif 000004
【図３】
2017192681.tif 000005
【図４】
2017192681.tif 000006
【図５】
2017192681.tif 000007
【図６】
2017192681.tif 000008